(57)【要約】  コントラストや輝度を低下させることなくクロストーク処理を実行する。３次元表示可能な携帯電話機（１００）が備えるＣＰＵ（３１０）は、１ピクセルバッファ（９１０，９２０）と、左目用の画像データと右目用の画像データとに基づく視差が存在するか否かを判定する視差判定部（９３０）と、視差が画面のどの領域に存在しているのかを判定するための領域判定部（９４０）と、クロストーク処理について携帯電話機（１００）の表示領域における各領域に対して予め規定された係数を保持する係数保持部（９５０）と、画像処理部（９６０）とを含む。画像処理部（９６０）は、左目用の画像データと右目用の画像データとの差が予め定められた値よりも大きい画素について、左目用の画像データから左目用のデータにおける差に基づく輝度を差し引き、右目用の画像データから右目用のデータの差に基づく輝度を差し引くことにより、左目用および右目用の各表示データとを生成する。
2012046687.tif 000002
【特許請求の範囲】
【請求項１】
画像表示機器であって、
３次元表示が可能な表示装置と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するための画像プロセッサとを備え、
前記画像プロセッサは、前記特定された視差部分について、クロストークの補正処理を実行することにより、左目用の表示データおよび右目用の表示データを生成するように構成されている、画像表示機器。
【請求項２】
前記画像プロセッサは、前記左目用の画像データと前記右目用の画像データとの差が予め定められた値よりも大きい画素について、前記左目用の表示データおよび前記右目用の表示データを生成するように構成されている、請求項１に記載の画像表示機器。
【請求項３】
前記画像プロセッサは、前記左目用の画像データから前記左目用の前記差に基づく輝度を差し引くことにより、左目用の表示データを生成し、前記右目用の画像データから前記右目用の前記差に基づく輝度を差し引くことにより、右目用の表示データを生成するように構成されている、請求項１または２に記載の画像表示機器。
【請求項４】
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、請求項１から３のいずれかに記載の画像表示機器。
【請求項５】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項１から４のいずれかに記載の画像表示機器。
【請求項６】
前記画像プロセッサは、画像のＲ成分、Ｇ成分、Ｂ成分ごとに定められた係数を用いて、前記左目用の表示データおよび前記右目用の表示データを生成するように構成されている、請求項１から５のいずれかに記載の画像表示機器。
【請求項７】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成手段とを備えており、
前記表示制御装置は、
前記表示装置との間で制御信号を通信するように構成された通信回路と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するように構成された画像プロセッサとを備え、
前記画像プロセッサは、前記特定された視差部分について、クロストークの補正処理を実行することにより、左目用の表示データおよび右目用の表示データを生成するように構成されている、表示制御装置。
【請求項８】
前記画像プロセッサは、前記左目用の画像データと前記右目用の画像データとの差が予め定められた値よりも大きい画素について、前記左目用の表示データおよび前記右目用の表示データを生成するように構成されている、請求項７に記載の表示制御装置。
【請求項９】
前記画像プロセッサは、
前記左目用の画像データから前記左目用の前記差に基づく輝度を差し引くことにより、左目用の表示データを生成し、
前記右目用の画像データから前記右目用の前記差に基づく輝度を差し引くことにより、右目用の表示データを生成するように構成されている、請求項７または８に記載の表示制御装置。
【請求項１０】
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、請求項７から９のいずれかに記載の表示制御装置。
【請求項１１】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項７から１０のいずれかに記載の表示制御装置。
【請求項１２】
前記画像プロセッサは、画像のＲ成分、Ｇ成分、Ｂ成分ごとに定められた係数を用いて、前記左目用の表示データおよび前記右目用の表示データを生成するように構成されている、請求項７から１１のいずれかに記載の表示制御装置。
【発明の詳細な説明】
【技術分野】
【０００１】
この開示は、３次元の画像を表示可能な画像表示機器、および、画像の表示を制御するための表示制御装置の制御に関する。
【背景技術】
【０００２】
携帯電話機、テレビジョン受像装置、モニター装置その他の画像表示端末には、３次元で画像を表示できる端末もある。３次元で画像を表示すると、クロストークが発生する場合がある。【０００３】
クロストークの改善に関し、たとえば、特開２０００−００４４５５号公報（特許文献１）は、「３Ｄ立体ディスプレイで要求される画像インターレースを効率的に実現することができて、３Ｄ立体ディスプレイの駆動を簡略化することができる立体ディスプレイコントローラ」を開示している（［要約］の［課題］）。【０００４】
また、特開２００９−２５１０９８号公報（特許文献２）は、「クロストークによる２重像の発生を抑制する」技術を開示している（［要約］の［課題］）。
【先行技術文献】
【特許文献】
【０００５】
【特許文献１】特開２０００−００４４５５号公報
【特許文献２】特開２００９−２５１０９８号公報
【発明の概要】
【発明が解決しようとする課題】
【０００６】
しかしながら、いずれの特許文献にも開示された技術は、すべての画素に対してクロストークを抑制する処理を行なう。そのため、画像のコントラストや輝度が低下する場合があった。【０００７】
したがって、画像のコントラストや輝度を低下させることなくクロストークが抑制されることが必要とされている。他の局面において、表示装置において画像のコントラストや輝度を低下させることなくクロストークが抑制されることが必要とされている。
【課題を解決するための手段】
【０００８】
ある実施の形態に従う画像表示機器は、３次元表示が可能な表示装置と、左目用の画像データと、右目用の画像データとを保持するためのメモリと、左目用の画像データと、右目用の画像データとの差に基づいて視差部分を特定するように構成された視差判定部と、左目用の画像データと右目用の画像データとに基づいて、画像を表示するデータを生成するための画像プロセッサとを備える。画像プロセッサは、特定された視差部分について、クロストークの補正処理を実行することにより、左目用の表示データおよび右目用の表示データを生成するように構成されている。【０００９】
好ましくは、画像プロセッサは、左目用の画像データと右目用の画像データとの差が予め定められた値よりも大きい画素について、左目用の表示データおよび右目用の表示データを生成するように構成されている。【００１０】
好ましくは、画像プロセッサは、左目用の画像データから左目用の差に基づく輝度を差し引くことにより、左目用の表示データを生成し、右目用の画像データから右目用の差に基づく輝度を差し引くことにより、右目用の表示データを生成するように構成されている。【００１１】
好ましくは、画像プロセッサは、左目用に予め定められた輝度を左目用の表示データに加算することにより左目用の表示データを生成し、右目用に予め定められた輝度を右目用の表示データに加算することにより右目用の表示データを生成するように構成されている。【００１２】
好ましくは、メモリは、表示装置の表示領域を構成する複数のサブ領域の各々について予め定められた補正係数を格納するように構成されている。画像プロセッサは、補正係数を用いて輝度を補正することにより、各サブ領域ごとに、左目用の表示データおよび右目用の表示データを生成するように構成されている。【００１３】
好ましくは、画像プロセッサは、画像のＲ成分、Ｇ成分、Ｂ成分ごとに定められた係数を用いて、左目用の表示データおよび右目用の表示データを生成するように構成されている。【００１４】
他の実施の形態に従うと、視差バリアを形成することにより３次元の画像を表示可能な表示装置に接続されて、表示装置による画像の表示を制御するための表示制御装置が提供される。表示装置は、液晶表示装置と、液晶表示装置に光を供給するバックライトと、視差バリアを形成するための形成手段とを備えている。表示制御装置は、表示装置との間で制御信号を通信するように構成された通信回路と、左目用の画像データと、右目用の画像データとを保持するためのメモリと、左目用の画像データと、右目用の画像データとの差に基づいて視差部分を特定するように構成された視差判定部と、左目用の画像データと右目用の画像データとに基づいて、画像を表示するデータを生成するように構成された画像プロセッサとを備える。画像プロセッサは、特定された視差部分について、クロストークの補正処理を実行することにより、左目用の表示データおよび右目用の表示データを生成するように構成されている。【００１５】
好ましくは、画像プロセッサは、左目用の画像データと右目用の画像データとの差が予め定められた値よりも大きい画素について、左目用の表示データおよび右目用の表示データを生成するように構成されている。【００１６】
好ましくは、画像プロセッサは、左目用の画像データから左目用の差に基づく輝度を差し引くことにより、左目用の表示データを生成し、右目用の画像データから右目用の差に基づく輝度を差し引くことにより、右目用の表示データを生成するように構成されている。【００１７】
好ましくは、画像プロセッサは、左目用に予め定められた輝度を左目用の表示データに加算することにより左目用の表示データを生成し、右目用に予め定められた輝度を右目用の表示データに加算することにより右目用の表示データを生成するように構成されている。【００１８】
好ましくは、メモリは、表示装置の表示領域を構成する複数のサブ領域の各々について予め定められた補正係数を格納するように構成されている。画像プロセッサは、補正係数を用いて輝度を補正することにより、各サブ領域ごとに、左目用の表示データおよび右目用の表示データを生成するように構成されている。【００１９】
好ましくは、画像プロセッサは、画像のＲ成分、Ｇ成分、Ｂ成分ごとに定められた係数を用いて、左目用の表示データおよび右目用の表示データを生成するように構成されている。
【発明の効果】
【００２０】
ある局面に従う画像表示端末によると、画像のコントラストや輝度を低下させることなくクロストークが抑制される。【００２１】
この発明の上記および他の目的、特徴、局面および利点は、添付の図面と関連して理解されるこの発明に関する次の詳細な説明から明らかとなるであろう。
【図面の簡単な説明】
【００２２】
【図１】携帯電話機１００を正面から見た図である。
【図２】携帯電話機１００が折り畳まれた状態を表わす図である。
【図３】携帯電話機１００のハードウェア構成を表わすブロック図である。
【図４】クロストークを説明するための図である。
【図５】ディスプレイ１５０における複数のサブ領域の構成を表わす図である。
【図６】ディスプレイ１５０を構成する液晶パネル６１０と視差バリア６２０との配置を表わす図である。
【図７】縦３Ｄ（３次元）液晶タイプの画素の配列を表わす図である。
【図８】縦３Ｄ液晶における描画方向を説明するための図である。
【図９】ＣＰＵ３１０によって実現される機能を表わす図である。
【図１０】縦長のディスプレイ１５０を横方向に置いた場合における画素の構成を表わす図である。
【図１１】横３Ｄ液晶における描画の方向とクロストーク処理の方向を表わす図である。
【図１２】横３Ｄ液晶を有する携帯電話機１００に含まれるＣＰＵ３１０の構成を表わす図である。
【図１３】画像再生装置１９００と３次元表示装置１９０とを表わす図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
なお、本実施の形態では、携帯電話機１００が例示されるが、本発明に係る技術思想の適用は、これに限られない。その他の携帯通信端末、たとえば、ＰＤＡ、電子辞書その他の情報処理端末、または、テレビジョン受像装置、モニタ装置その他の画像表示装置であって、少なくとも、視差バリア方式を用いた３次元表示が可能なディスプレイ装置を有する装置であれば、本発明に係る技術思想を適用することができる。
【００２５】
また、他の局面において、ディスプレイ装置を内蔵しない機器であって、画像を出力する装置、たとえば、ハードディスク記録再生装置、ブルーレイディスク記録再生装置等にも適用され得る。この場合、当該機器と、当該機器に接続される外部表示装置（たとえば、視差バリアを用いて３次元表示可能なテレビ）との組み合わせによって、本発明に係る技術思想が適用される。この場合、機器は、外部表示装置に映像信号を送出するときに、外部表示装置の視差バリアの形成を制御するための信号を合わせて送る。この場合、当該技術思想は、具体的には、たとえば、画像表示制御回路として実現される。あるいは、他の局面においては、当該機器に含まれるプロセッサが、制御のためのプログラムを実行することにより、ハードウェアとソフトウェアとの協働として実現される。
【００２６】
図１を参照して、携帯電話機１００は、筐体１１０，１２０と、二軸ヒンジ１３０とを備える。二軸ヒンジ１３０は、筐体１２０に対して筐体１１０を、二軸方向に動くように構成されている。二軸のうちの１つは、筐体１１０と筐体１２０との開閉のためのものであり、他の１つは、筐体１１０を長手方向の回転軸を中心に筐体１２０に対して回転させるためのヒンジである。
【００２７】
携帯電話機１００は、さらに、スピーカ１４０と、タッチパネル式のディスプレイ１５０と、複数のボタン１６０と、マイク１７０とを備える。スピーカ１４０は、筐体１１０に取り付けられている。タッチパネル式のディスプレイ１５０は、筐体１１０に取り付けられている。ディスプレイ１５０は、液晶タイプ、有機ＥＬ（Electro  luminescence）タイプその他の表示装置である。携帯電話機１００が開かれた状態（「第１の状態」ともいう）であるとき、ディスプレイ１５０は、二軸ヒンジ１３０によって、複数のボタン１６０が配置されている面と同じ方向および背面の方向のいずれをも向くように構成されている。
【００２８】
複数のボタン１６０は、携帯電話機１００に対する命令の入力を受け付けるスイッチとして構成されている。ある局面において、ボタン１６０は、物理的なキーとして実現されるが、他の局面において、複数のボタン１６０の一部又は全部が、ソフトウェアキーとして実現されてもよい。
【００２９】
図２を参照して、本実施の形態に係る携帯電話機１００は、折り畳まれたときに、ディスプレイ１５０を携帯電話機１００の外側を向くようにも構成されている。すなわち、図１に示される状態で筐体１１０が二軸ヒンジ１３０に対して長手方向に１８０°回転される。さらに、筐体１１０は、二軸ヒンジ１３０の他の一軸を中心に回転される。その後、筐体１１０と筐体１２０とが閉じられる。そうすると、図２に示されるように、ディスプレイ１５０が携帯電話機１００の外側に現われ、ボタン１６０はその内側に隠される。
【００３０】
なお、本実施の形態においては、携帯電話機１００は折畳式であるが、他の局面において、１つの筐体が他の筐体に対して摺動するように構成されたスライド式であってもよい。また、さらに他の局面においては、タブレット式あるはストレート式の端末装置が適用されてもよい。
【００３１】
図３を参照して、本実施の形態に係る携帯電話機１００のハードウェア構成について説明する。図３は、携帯電話機１００のハードウェア構成の表わすブロック図である。携帯電話機１００は、図１に示される構成に加えて、通信装置３０２と、チューナ３０４と、アンテナ３０６，３０８と、ＣＰＵ（Central  Processing  Unit）３１０と、測位処理部３１２と、測位信号受信フロントエンド部３１４と、ＧＰＳ（Global  Positioning  System）アンテナ３１６と、カメラ３２０と、フラッシュメモリ３４４と、ＲＡＭ（Random  Access  Memory）３４６と、ＲＯＭ（Read  Only  Memory）３４８と、音声信号処理回路３７０と、ＬＥＤ（Light  Emitting  Diode）３７６と、メモリカード駆動装置３８０と、データ通信Ｉ／Ｆ（Interface）３７８と、バイブレータ３８４とを備える。メモリカード駆動装置３８０には、メモリカード３８２が装着され得る。
【００３２】
アンテナ３０６は、ワンセグ放送波を受信する。チューナ３０４は、ＣＰＵ３１０の命令に従って番組を選局し、映像信号および音声信号をＣＰＵ３１０に伝送する。
【００３３】
アンテナ３０８によって受信された信号は、通信装置３０２によってフロントエンド処理が行なわれた後、処理後の信号は、ＣＰＵ３１０に送られる。ＣＰＵ３１０は、携帯電話機１００に対して与えられる命令に基づいて携帯電話機１００の動作を制御するための処理を実行する。ＣＰＵ３１０は、通信装置３０２から送られた信号に基づいて予め規定された処理を実行し、処理後の信号を音声信号処理回路３７０に送出する。音声信号処理回路３７０は、その信号に対して予め規定された信号処理を実行し、処理後の信号をスピーカ１４０に送出する。スピーカ１４０は、その信号に基づいて音声を出力する。
【００３４】
マイク１７０は、携帯電話機１００に対する発話を受け付けて、発話された音声に対応する信号を音声信号処理回路３７０に対して送出する。音声信号処理回路３７０は、その信号に基づいて通話のために予め規定された処理を実行し、処理後の信号をＣＰＵ３１０に対して送出する。ＣＰＵ３１０は、その信号を送信用のデータに変換し、変換後のデータを通信装置３０２に対して送出する。通信装置３０２は、そのデータを用いて送信用の信号を生成し、アンテナ３０８に向けてその信号を送出する。
【００３５】
フラッシュメモリ３４４は、ＣＰＵ３１０から送られるデータを格納する。また、ＣＰＵ３１０は、フラッシュメモリ３４４に格納されているデータを読み出し、そのデータを用いて予め規定された処理を実行する。
【００３６】
ＲＡＭ３４６は、ボタン１６０に対して行なわれた操作に基づいてＣＰＵ３１０によって生成されるデータを一時的に保持する。ＲＯＭ３４８は、携帯電話機１００に予め定められた動作を実行させるためのプログラムあるいはデータを格納している。ＣＰＵ３１０は、ＲＯＭ３４８から当該プログラムまたはデータを読み出し、携帯電話機１００の動作を制御する。
【００３７】
メモリカード駆動装置３８０は、メモリカード３８２に格納されているデータを読み出し、ＣＰＵ３１０に送出する。逆にメモリカード駆動装置３８０は、ＣＰＵ３１０によって出力されるデータを、メモリカード３８２の空き領域に書き込む。
【００３８】
音声信号処理回路３７０は、上述のような通話のための信号処理を実行する。なお、図３に示される例では、ＣＰＵ３１０と音声信号処理回路３７０とが別個の構成として示されているが、他の局面において、ＣＰＵ３１０と音声信号処理回路３７０とが一体として構成されていてもよい。
【００３９】
ディスプレイ１５０は、タッチパネル式のディスプレイであるが、タッチパネルの機構は特に限られない。ディスプレイ１５０は、ＣＰＵ３１０から取得されるデータに基づいて、当該データによって規定される画像を表示する。たとえば、フラッシュメモリ３４４が格納している静止画、動画、音楽ファイルの属性（当該ファイルの名前、演奏者、演奏時間など）を表示する。
【００４０】
ＬＥＤ３７６は、ＣＰＵ３１０からの信号に基づいて、予め定められた発光動作を実現する。データ通信Ｉ／Ｆ３７８は、データ通信用のケーブルの装着を受け付ける。データ通信Ｉ／Ｆ３７８は、ＣＰＵ３１０から出力される信号を当該ケーブルに対して送出する。あるいは、データ通信Ｉ／Ｆ３７８は、当該ケーブルを介して受信されるデータを、ＣＰＵ３１０に対して送出する。
【００４１】
バイブレータ３８４は、ＣＰＵ３１０から出力される信号に基づいて、予め定められた周波数で発振動作を実行する。
【００４２】
ＧＰＳアンテナ３１６は、ＧＰＳ衛星から発信される信号を受信し、受信した信号を測位信号受信フロントエンド部３１４に送出する。測位信号受信フロントエンド部３１４は、少なくとも３つ（望ましくは４つ以上）のＧＳＰ衛星から受信した各信号に基づいてパターンマッチングを行ない、各信号に含まれるコードパターンと携帯電話機１００が保持するコードパターンとが一致した場合に、その信号を測位処理部３１２に送出する。
【００４３】
測位処理部３１２は、その信号を用いて、測位処理を実行し、当該信号を受信した携帯電話機１００の位置を算出する。ＣＰＵ３１０は、その算出結果をディスプレイ１５０に表示する。
【００４４】
ある局面において、ＣＰＵ３１０は、画像処理部として、特定された視差部分について、クロストークの補正処理を実行することにより、左目用の表示データおよび右目用の表示データを生成する。
【００４５】
他の局面において、ＣＰＵ３１０は、画像処理部として、左目用の画像データと右目用の画像データとの差が予め定められた値よりも大きい画素について、左目用の表示データおよび右目用の表示データを生成する。ここで、予め定められた値とは、たとえば、視差が生じ、クロストーク処理が必要であると判定される値をいう。この値は、表示装置によって異なるが、たとえば、隣り合うデータの差が５０以上の値であれば視差があると判定してもよい。
【００４６】
他の局面において、ＣＰＵ３１０は、画像処理部として、左目用の画像データから左目用の差に基づく輝度を差し引くことにより、左目用の表示データを生成し、右目用の画像データから右目用の差に基づく輝度を差し引くことにより、右目用の表示データを生成する。
【００４７】
他の局面において、ＣＰＵ３１０は、画像処理部として、左目用に予め定められた輝度を左目用の表示データに加算することにより左目用の表示データを生成し、右目用に予め定められた輝度を右目用の表示データに加算することにより右目用の表示データを生成する。ここで、左目用に予め定められた輝度、および、右目用に予め定められた輝度とは、たとえば、クロストーク量によって求められる輝度である。たとえば、クロストーク量が１％の場合には１％の輝度を加算することで、低階調用の画像を表示する領域であってもクロストーク処理を行うことができる。
【００４８】
他の局面において、フラッシュメモリ３４４は、表示装置の表示領域を構成する複数のサブ領域の各々について予め定められた補正係数を格納するように構成されている。ＣＰＵ３１０は、画像処理部として、補正係数を用いて輝度を補正することにより、各サブ領域ごとに、左目用の表示データおよび右目用の表示データを生成する。ここで、予め定められた補正係数とは、たとえば、クロストーク量によって求められる係数である。たとえば、クロストーク量が１％の場合には１％の輝度に相当する係数を用いて輝度を補正することで、本来出力されるべき輝度となる。
【００４９】
ＣＰＵ３１０は、画像処理部として、画像のＲ成分、Ｇ成分、Ｂ成分ごとに定められた係数を用いて、左目用の表示データおよび右目用の表示データを生成する。ここで、予め定められた係数とは、クロストーク量によって求められる係数である。たとえば、クロストーク量が１％の場合には係数を１％とすることで漏れてくるクロストークを相殺し、本来出力されるべき輝度となる。
【００５０】
図４を参照して、本実施の形態に係るクロストークについて説明する。状態４０１は、右目用のデータにおけるクロストークを説明するための図である。状態４０２は、左目用のデータにおけるクロストークを説明するための図である。
【００５１】
状態４０１に示されるように、右目用のデータが用いられることにより、領域４００，４１０，４３０，４２０が形成される。同様に、状態４０１に示されるように、左目用のデータが用いられると、たとえば、領域４５０，４６０，４７０，４８０が生成される。
【００５２】
視差バリア方式を用いた３Ｄ画像表示装置では、左目用のデータと右目用のデータを交互に櫛状に配置した画像を表示することで、左目には左目用のデータのみが、右目には右目用のデータのみが視認され、ユーザは３Ｄ立体画像を認識する。上記右目用のデータおよび上記左目用のデータを交互に櫛状に配置した場合には、領域４００と領域４５０が隣あって配置される画像となり、隣接するデータの差が大きな領域となる。同様に、領域４２０と領域４７０が隣あって配置される画像となり、隣接するデータの差が大きくなる。この領域４００と領域４５０、及び領域４２０と領域４７０におけるデータの差が予め定められた差よりも大きい場合には、クロストークが生じる。
【００５３】
図５は、ディスプレイ１５０における複数の領域の構成を表わす図である。ディスプレイ１５０は、前述のように複数の画素からなり、当該複数の画素は、画像を表示するための領域を構成する。たとえば、ディスプレイ１５０において、領域５１０〜５６０が水平方向に形成される。ここで、領域５５０〜５６０は、それぞれ概念的に示されるものであって、特定の画素が特定の領域に対応することを意図しているわけではない。
【００５４】
このような場合、たとえばディスプレイ１５０の仮想的な中心線５７０を考えると、中心線５７０の左側にある領域５１０〜５３０は、それぞれ、当該領域の左側にある領域を構成する画素による影響を受ける。一方、中心線５７０の右側にある領域５４０〜５６０は、当該領域の右側にある領域を構成する画素によるクロストークの影響を受ける。
【００５５】
図６を参照して、左側の領域におけるクロストーク、および、右側の領域におけるクロストークについてさらに説明する。図６は、ディスプレイ１５０を構成する液晶パネル６１０と視差バリア６２０との配置を表わす図である。このうち、状態６０１は、携帯電話機１００のユーザがディスプレイ１５０の左側を見る態様を表わす。状態６０２は、携帯電話機１００のユーザがディスプレイ１５０の右側を見る態様を表わす。
【００５６】
状態６０１に示されるように、位置６３０にいるユーザが、視差バリア６２０を介して液晶パネル６１０によって表示される画像を見るとき、たとえば領域６１２の画像を見た場合でも、隣接する領域６１１の画素による画像が認識される。同様に、領域６１４の画像に加えて、領域６１３の画素による画像が、位置６３０にあるユーザに視認される。この場合、液晶パネル６１０に対する視線の傾きの違いにより、領域６１２が視認される場合の領域６１１からのクロストーク量よりも、領域６１４が視認される場合の領域６１３からのクロストーク量が多くなる。したがって、ディスプレイ装置の左側にある画素については、左の領域についてクロストークを補正するための係数を、当該領域の右にある領域についてのクロストークを補正するための係数よりも大きくすることにより、隣接する領域からの影響を適切に抑制することができる。
【００５７】
ここで、仮に、ユーザが位置６４０にある場合には、視線が液晶パネル６１０となす交差角が異なる。交差角は、位置６３０にある場合の交差角よりも大きくなる。あるいは、ユーザが位置６３０よりも離れている場合にも、交差角は、位置６３０における交差角ａ，ｂよりも大きくなる。このような場合には、左にある領域からの影響が小さくなる。したがって、クロストークを補正するための係数としては、ユーザと携帯電話機１００との距離を計測し、その距離に応じて、当該係数を変更するようにしてもよい。この場合、距離の計測は、測距センサが用いられる。たとえば、ディスプレイ１５０が配置される面にカメラ３２０が配置されている場合に、カメラ３２０を用いてユーザを撮影して、当該撮影結果から得られる特徴量と、予め標準の距離で撮影された画像から得られる特徴量とを比較して、そのときの距離を算出してもよい。
【００５８】
逆に、状態６０２に示されるように、位置６５０にいるユーザが、視差バリア６２０を介して液晶パネル６１０によって表示される画像を見るとき、たとえば領域６１５の画像を見た場合でも、右にある領域６１６の画素による画像が認識される。同様に、領域６１７の画像に加えて、右にある領域６１８の画素による画像が、位置６５０にあるユーザに視認される。この場合、液晶パネル６１０に対する視線の傾きの違いにより、領域６１５が視認される場合の領域６１６からのクロストーク量よりも、領域６１７が視認される場合の領域６１８からのクロストーク量が多くなる。したがって、ディスプレイ装置の右側にある画素については、右の領域についてクロストークを補正するための係数を、当該領域の左にある領域についてのクロストークを補正するための係数よりも大きくすることにより、隣接する領域からの影響を適切に抑制することができる。
【００５９】
図７は、縦３Ｄ液晶タイプの画素の配列を表わす図である。ディスプレイ１５０は、Ｒ、Ｇ、Ｂの各々についての画素を複数有している。ここで、図７に示されるように、ＲＧＢの１つのまとまりをライン７１０，７２０，７３０，７４０とする。この場合、たとえば、ライン７２０に含まれる画素に対しては、左に隣接するライン７１０の画素７１１（すなわちＢ成分に対応する画素）の成分と、右に隣接するライン７３０における画素７３１のＲ成分の影響を受けることになる。したがって、画像のＲ成分、Ｇ成分、Ｂ成分ごとに定められた係数を用いてクロストーク処理を行うことで、隣接する画素からの影響を適切に抑制することができる。
【００６０】
図８を参照して、本実施の形態における描画とクロストーク処理の方向について説明する。図８は、縦３Ｄ液晶における各方向を表わす図である。ディスプレイ１５０は、画像を描画するとき、方向８１０、８１１、８１２のように描写する。すなわち、まず左側から右側に走査し、その走査の後その次のラインに移動して同様の方向に描画処理を実行する。この場合、本実施の形態によれば、クロストークの処理は、方向８２０の方向に沿って行なわれる。すなわち、水平方向に沿う描画の方向８１０と同様の方向でクロストーク処理が行なわれる。
【００６１】
また、本実施の形態に係る携帯電話機１００によれば、３Ｄ表示のためのデータに対して、クロストーク処理を実行する。すなわち、縦３Ｄ液晶タイプの場合には、画面描画の方向とクロストーク処理の方向とが一致するため、２ピクセル分のバッファでクロストークが目立つ場所（隣り合うデータの差が大きい箇所）を判定することができる。
【００６２】
図９を参照して、本実施の形態に係る携帯電話機１００の構成についてさらに説明する。図９は、ＣＰＵ３１０における構成を詳細に表わす図である。ＣＰＵ３１０は、１ピクセルバッファ９１０，９２０と、視差判定部９３０と、領域判定部９４０と、係数保持部９５０と、画像処理部９６０とを含む。１ピクセルバッファ９１０と視差判定部９３０とは、ＲＡＭ３４６に接続されている。１ピクセルバッファ９１０の出力は、１ピクセルバッファ９２０の入力と、視差判定部９３０の入力と、画像処理部９６０の入力とにそれぞれ接続されている。１ピクセルバッファ９２０の出力は、視差判定部９３０の入力と、画像処理部９６０の入力とにそれぞれ接続されている。
【００６３】
視差判定部９３０の入力は、ＲＡＭ３４６の出力と、１ピクセルバッファ９１０の出力と、１ピクセルバッファ９２０の出力とにそれぞれ接続されている。視差判定部９３０の出力は、画像処理部９６０の入力に接続されている。画像処理部９６０の出力は、ディスプレイ１５０に接続される。
【００６４】
１ピクセルバッファ９１０，９２０は、それぞれ、ＲＡＭ３４６に格納されている画像データのうち、１画素分のデータを保持する。視差判定部９３０は、１ピクセルバッファ９１０，９２０にそれぞれ格納されている各データと、ＲＡＭ３４６から読み出されたデータとに基づいて、左目用の画像データと右目用の画像データとに基づく視差が存在するか否かを判定する。
【００６５】
画像処理部９６０は、左目用の画像データと、右目用の画像データとに基づいて画像を表示するためのデータを生成する。より詳しくは、画像処理部９６０は、左目用の画像データと右目用の画像データとの差が予め定められた値よりも大きい画素について、当該左目用の画像データから左目用のデータにおける差に基づく輝度を差し引き、さらに右目用の画像データから、当該右目用のデータの差に基づく輝度を差し引くことにより、左目用の表示データと右目用の表示データとをそれぞれ生成する。
【００６６】
たとえば、画像処理部９６０は、以下のような式を用いて、クロストーク処理を実行する。
左目用の画像データ＝（Ｌ＋Ｇ−Ｒ＊Ｘ％）＋Ｒ＊Ｘ％
右目用の画像データ＝（Ｒ＋Ｇ−Ｌ＊Ｘ％）＋Ｌ＊Ｘ％
ここで、Ｌ、Ｒは、当該領域において本来出力されるべき輝度を表わす。
＋Ｒ＊Ｘ％の項、および＋Ｌ＊Ｘ％の項は、隣接する領域から漏れる輝度を表わす。
“−Ｒ＊Ｘ％”の項、および、“−Ｌ＊Ｘ％”の項は、予め控除すべき漏れ量を表わす。＋Ｇの項は、低階調用の画像を表示する領域について、控除すべき漏れ量が本来出力されるべき輝度よりも大きい場合でもクロストーク処理できるようにするために加算される輝度値を表わす。
【００６７】
他の局面において、画像処理部９６０は、左目用について予め定められた輝度を、左目用の表示データに加算することにより、左目用の表示データを生成する。画像処理部９６０は、同様に、右目用について予め定められた輝度を、当該右目用の表示データに加算することにより、右目用の表示データを生成する。
【００６８】
領域判定部９４０は、ＲＡＭ３４６に格納されている画像データと、ディスプレイ１５０の使用を表わすデータとに基づいて、クロストークを抑制するための処理が必要な領域であるか否かを判定する。たとえば、領域判定部９４０は、視差が画面のどの領域に存在しているのかを検出する。この検出は、たとえば、左目用のデータと、右目用のデータとの差に基づいて行なわれる。
【００６９】
係数保持部９５０は、ディスプレイ１５０の表示領域を構成する複数の領域の各々について予め定められた係数を有している。この係数は、クロストークが目立つ場合に当該クロストークを抑制するために考慮すべき輝度を算出するために予め定められたものである。この係数は、ある局面において、クロストーク量によって求められる輝度で、たとえば、クロストーク量が１％の場合には１％の輝度を加算することで、低階調用の画像を表示する領域であってもクロストーク処理を行うことができる。
【００７０】
図１０を参照して、横３Ｄ液晶におけるクロストーク処理について説明する。図１０は、縦長のディスプレイ１５０を横方向に置いた場合における画素の構成を表わす図である。
【００７１】
図１０に示されるように、ディスプレイ１５０は、複数の画素線を含む。この場合、ライン１０１０、１０２０、１０３０、１０４０の各々は、Ｒ成分、Ｇ成分、Ｂ成分についてそれぞれ隣接するラインの成分と同じである。したがって、クロストーク処理を行なう場合には、Ｒ成分、Ｇ成分、Ｂ成分のそれぞれで前述のような処理を実行すればよい。
【００７２】
図１１を参照して、横３Ｄ液晶における描画の方向とクロストーク処理の方向とについて説明する。図１１は、ディスプレイ１５０におけるこれらの方向を表わす図である。描画の方向は、たとえば方向１１１０，１１２０，１１３０のように行なわれる。このとき、クロストーク処理は、方向１１４０に沿って行なわれる。
【００７３】
ディスプレイ１５０が横３Ｄ液晶タイプの場合には、画面描画の方向とクロストーク処理の方向とが異なるため、隣り合う箇所のデータを参照するためには、２ライン分のバッファがあればよい。
【００７４】
図１２を参照して、本実施の形態に係る携帯電話機１００の構成についてさらに説明する。図１２は、横３Ｄ液晶を有する携帯電話機１００に含まれるＣＰＵ３１０の構成を表わす図である。ＣＰＵ３１０は、１ラインバッファ１２１０，１２２０と、視差判定部９３０と、領域判定部９４０と、係数保持部９５０と、画像処理部９６０とを備える。１ラインバッファ１２１０，１２２０の入力は、ＲＡＭ３４６に接続されている。視差判定部９３０の入力は、ＲＡＭ３４６、１ラインバッファ１２１０，１２２０の各出力に接続されている。領域判定部９４０の出力は、係数保持部９５０の入力に接続されている。画像処理部９６０は、ＲＡＭ３４６から読み出されたデータと、１ラインバッファ１２１０，１２２０からの各出力と、視差判定部９３０の出力と、係数保持部９５０との出力とに基づいて、画像データを用いてクロストーク処理を実行する。
【００７５】
＜変形例＞
次に、上記の実施の形態の変形例について説明する。上述のとおり、本実施の形態に係る技術思想の適用は、携帯電話機その他の端末に限られない。すなわち、上記の実施の形態では、２次元と３次元との表示を切り替えを制御するための制御装置（ＣＰＵ３１０）と、視差バリアを形成することにより３次元の画像を表示できる表示装置（ディスプレイ１５０）とが、一つの装置（携帯電話機１００）に含まれていた。しかしながら、当該制御装置と表示装置とは、別個の装置に含まれていてもよい。
【００７６】
そこで、図１３を参照して、本実施の形態の変形例に係る画像再生装置１９００について説明する。図１３は、画像再生装置１９００と３次元表示装置１９０とを表わす図である。画像再生装置１９００は、たとえば、ＤＶＤ（Digital  Versatile  Disc）プレイヤー、ＤＶＤレコーダ、ＢＤ（Blu-ray  Disc）プレイヤー、ＢＤレコーダ、ＨＤＤ（Hard  Disk  Drive）レコーダ、画像制御回路として実現される。また、３次元表示装置１９９０は、３次元表示が可能なテレビ、ＰＣ（Personal  Computer）モニタその他の表示装置である。
【００７７】
本変形例に従う画像再生装置１９００は、チューナ３０４と、ＣＰＵ３１０と、ＲＡＭ３４６と、ＲＯＭ３４８と、音声信号処理回路３７０と、メモリカード駆動装置３８０と、赤外線通信装置１９０２と、ディスク駆動装置１９２０と、ＨＤＤ１９４４と、モニタ１９５０と、音声出力１９４０と、音声入力１９７０と、データ通信Ｉ／Ｆ１９７８とを備える。なお、図３に示される構成と同じハードウェアには、同一の参照符号を付してある。したがって、それらの説明は繰り返さない。
【００７８】
赤外線通信装置１９０２は、画像再生装置１９００の動作を制御するための赤外線信号を受信する。なお、他の局面において、制御信号の通信は、赤外線通信に代えて、ブルートゥースその他の信号が用いられてもよい。
【００７９】
ディスク駆動装置１９２０は、光ディスク１９２２の装着を受け付ける。光ディスク１９２２は、ＤＶＤ、ＢＤその他のディスクである。光ディスク１９２２は、３次元表示のためのデータを格納しており、ディスク駆動装置１９２０によって読み出される。ＨＤＤ１９４４は、画像データを格納している。
【００８０】
音声入力１９７０は、画像再生装置１９００の外部から音声信号の入力を受け付けるためのインターフェイスである。音声出力１９４０は、画像再生装置１９００の外部（たとえば、テレビ、ヘッドフォン等）に対して音声を出力するためのインターフェイスである。
【００８１】
モニタ１９５０は、画像再生装置１９００の筐体の前面に配置され、画像再生装置１９００の動作状態を表示する。
【００８２】
データ通信Ｉ／Ｆ１９７８は、３次元表示装置１９９０その他の表示装置との間で制御信号を通信する。ある局面において、データ通信Ｉ／Ｆ１９７８は、たとえば、ＨＤＭＩ（High-Definition  Multimedia  Interface）であるが、その他の通信規格が用いられてもよい。ある局面において、データ通信Ｉ／Ｆ１９７８は、２次元と３次元との表示の切り替えを制御するための信号を、３次元表示装置１９９０に送出する。
【００８３】
３次元表示装置１９９０は、データ通信Ｉ／Ｆ１９９１と、ＣＰＵ１９９２と、液晶ディスプレイ１９９３とを備える。データ通信Ｉ／Ｆ１９９１は、データ通信装置１９７８と同様に、制御信号を通信する。ある局面では、データ通信装置１９９１は、液晶ディスプレイ１９９３による画像の表示を、２次元表示と３次元表示との間で切り替えを制御するための信号を、データ通信Ｉ／Ｆ１９７８から受信する。
【００８４】
ＣＰＵ１９９２は、データ通信Ｉ／Ｆ１９９１から送られる制御信号に基づいて、液晶ディスプレイ１９９３による視差バリアの形成を制御する。この制御の態様は、前述の実施の形態に示したとおりである。
【００８５】
以上のようにして、本実施の形態に係る携帯電話機１００または本変形例に係る画像再生装置１９００は、すべての画素に対してクロストークを抑制するための処理を行なわずに、クロストークが発生する場所のみを対象として処理を実行する。したがって、画面全体のコントラストまたは輝度の低下を防止することができる。
【００８６】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【００８７】
本実施の形態に係る技術思想は、携帯電話機、ＰＤＡ端末、モニタ装置、テレビジョン受像装置その他の画像表示端末であって、視差バリア方式を用いて３次元表示可能な画像表示端末に適用することができる。
【符号の説明】
【００８８】
１００  携帯電話機、１１０，１２０  筐体、１３０  二軸ヒンジ、１４０  スピーカ、１５０  ディスプレイ装置、１６０  ボタン、１７０  マイク、３０４  チューナ、３０６，３０８  アンテナ、３１６  ＧＰＳアンテナ、３２０  カメラ、３８２  メモリカード。
【図１】
2012046687.tif 000003
【図２】
2012046687.tif 000004
【図３】
2012046687.tif 000005
【図４】
2012046687.tif 000006
【図５】
2012046687.tif 000007
【図６】
2012046687.tif 000008
【図７】
2012046687.tif 000009
【図８】
2012046687.tif 000010
【図９】
2012046687.tif 000011
【図１０】
2012046687.tif 000012
【図１１】
2012046687.tif 000013
【図１２】
2012046687.tif 000014
【図１３】
2012046687.tif 000015
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
画像表示機器であって、
３次元表示が可能な表示装置と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するための画像プロセッサとを備え、
前記画像プロセッサは、前記特定された視差部分について、クロストークの補正処理を実行することにより、左目用の表示データおよび右目用の表示データを生成するように構成されており、
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、画像表示機器。
【請求項２】
前記画像プロセッサは、前記左目用の画像データと前記右目用の画像データとの差が予め定められた値よりも大きい画素について、前記左目用の表示データおよび前記右目用の表示データを生成するように構成されている、請求項１に記載の画像表示機器。
【請求項３】
前記画像プロセッサは、前記左目用の画像データから前記左目用の前記差に基づく輝度を差し引くことにより、左目用の表示データを生成し、前記右目用の画像データから前記右目用の前記差に基づく輝度を差し引くことにより、右目用の表示データを生成するように構成されている、請求項１または２に記載の画像表示機器。
【請求項４】
（削除）
【請求項５】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項１から３のいずれかに記載の画像表示機器。
【請求項６】
前記画像プロセッサは、画像のＲ成分、Ｇ成分、Ｂ成分ごとに定められた係数を用いて、前記左目用の表示データおよび前記右目用の表示データを生成するように構成されている、請求項１から３または５のいずれかに記載の画像表示機器。
【請求項７】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成手段とを備えており、
前記表示制御装置は、
前記表示装置との間で制御信号を通信するように構成された通信回路と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するように構成された画像プロセッサとを備え、
前記画像プロセッサは、前記特定された視差部分について、クロストークの補正処理を実行することにより、左目用の表示データおよび右目用の表示データを生成するように構成されている、表示制御装置。
【請求項８】
前記画像プロセッサは、前記左目用の画像データと前記右目用の画像データとの差が予め定められた値よりも大きい画素について、前記左目用の表示データおよび前記右目用の表示データを生成するように構成されている、請求項７に記載の表示制御装置。
【請求項９】
前記画像プロセッサは、
前記左目用の画像データから前記左目用の前記差に基づく輝度を差し引くことにより、左目用の表示データを生成し、
前記右目用の画像データから前記右目用の前記差に基づく輝度を差し引くことにより、右目用の表示データを生成するように構成されている、請求項７または８に記載の表示制御装置。
【請求項１０】
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、請求項７から９のいずれかに記載の表示制御装置。
【請求項１１】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項７から１０のいずれかに記載の表示制御装置。
【請求項１２】
前記画像プロセッサは、画像のＲ成分、Ｇ成分、Ｂ成分ごとに定められた係数を用いて、前記左目用の表示データおよび前記右目用の表示データを生成するように構成されている、請求項７から１１のいずれかに記載の表示制御装置。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
画像表示機器であって、
３次元表示が可能な表示装置と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するための画像プロセッサとを備え、
前記画像プロセッサは、前記特定された視差部分について、クロストークの補正処理を実行することにより、左目用の表示データおよび右目用の表示データを生成するように構成されており、
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、画像表示機器。
【請求項２】
前記画像プロセッサは、前記左目用の画像データと前記右目用の画像データとの差が予め定められた値よりも大きい画素について、前記左目用の表示データおよび前記右目用の表示データを生成するように構成されている、請求項１に記載の画像表示機器。
【請求項３】
前記画像プロセッサは、前記左目用の画像データから前記左目用の前記差に基づく輝度を差し引くことにより、左目用の表示データを生成し、前記右目用の画像データから前記右目用の前記差に基づく輝度を差し引くことにより、右目用の表示データを生成するように構成されている、請求項１または２に記載の画像表示機器。
【請求項４】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項１から３のいずれかに記載の画像表示機器。
【請求項５】
前記画像プロセッサは、画像のＲ成分、Ｇ成分、Ｂ成分ごとに定められた係数を用いて、前記左目用の表示データおよび前記右目用の表示データを生成するように構成されている、請求項１から４のいずれかに記載の画像表示機器。
【請求項６】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成手段とを備えており、
前記表示制御装置は、
前記表示装置との間で制御信号を通信するように構成された通信回路と、
左目用の画像データと、右目用の画像データとを保持するためのメモリと、
前記左目用の画像データと、前記右目用の画像データとの差に基づいて視差部分を特定するように構成された視差判定部と、
前記左目用の画像データと前記右目用の画像データとに基づいて、画像を表示するデータを生成するように構成された画像プロセッサとを備え、
前記画像プロセッサは、前記特定された視差部分について、クロストークの補正処理を実行することにより、左目用の表示データおよび右目用の表示データを生成するように構成されている、表示制御装置。
【請求項７】
前記画像プロセッサは、前記左目用の画像データと前記右目用の画像データとの差が予め定められた値よりも大きい画素について、前記左目用の表示データおよび前記右目用の表示データを生成するように構成されている、請求項６に記載の表示制御装置。
【請求項８】
前記画像プロセッサは、
前記左目用の画像データから前記左目用の前記差に基づく輝度を差し引くことにより、左目用の表示データを生成し、
前記右目用の画像データから前記右目用の前記差に基づく輝度を差し引くことにより、右目用の表示データを生成するように構成されている、請求項６または７に記載の表示制御装置。
【請求項９】
前記画像プロセッサは、
左目用に予め定められた輝度を前記左目用の表示データに加算することにより左目用の表示データを生成し、
右目用に予め定められた輝度を前記右目用の表示データに加算することにより右目用の表示データを生成するように構成されている、請求項６から８のいずれかに記載の表示制御装置。
【請求項１０】
前記メモリは、前記表示装置の表示領域を構成する複数のサブ領域の各々について予め定められた補正係数を格納するように構成されており、
前記画像プロセッサは、前記補正係数を用いて輝度を補正することにより、各前記サブ領域ごとに、前記左目用の表示データおよび前記右目用の表示データを生成するように構成されている、請求項６から９のいずれかに記載の表示制御装置。
【請求項１１】
前記画像プロセッサは、画像のＲ成分、Ｇ成分、Ｂ成分ごとに定められた係数を用いて、前記左目用の表示データおよび前記右目用の表示データを生成するように構成されている、請求項６から１０のいずれかに記載の表示制御装置。
【国際調査報告】
2012046687.tif 000016
2012046687.tif 000017
2012046687.tif 000018
2012046687.tif 000019